(57)【要約】  瓦屋根用の空気ベントは、屋根の棟近くのスリットを通じて換気が行われるように設置される。ベントは、換気のための複数の通気路を形成する波形材料の複数の層を有している。一実施形態においては、バッフルがベント部材に取り付けられている。別の実施形態においては、複数のベント部材が上部パネルへ取り付けられている。上部パネルは、波形材料から形成され、必要に応じて、さらなる換気のために通気路を露出させる経路を有している。屋根内部への水分、粒子及び昆虫の侵入を防止するために、これらの実施形態では、膜を設けることもできる。望ましくない水分、粒子又は昆虫の侵入をさらに防止するために、カバー部材及び／又はセメント材料層を用いることもできる。もし用いられる場合には、カバー部材は、一実施形態においては、下側パネルへ接着され、また、別の実施形態においては、バッフルの下方へ配置される。
2008522059.tif 000002
【特許請求の範囲】
【請求項１】
屋根の換気を行うためのベントアセンブリであって、
長手軸を有するとともに波形材料の少なくとも一つの層を有するベント部材と、
このベント部材へ取り付けられた一般に弾性を有するバッフル部材と、
を有し、波形材料が一対の第１のプライと、この第１のプライの間に配置されて複数の通気路を形成している少なくとも一つの第２のプライとを有するベントアセンブリ。
【請求項２】
第１のプライが一般に平面状である請求項１に記載のベントアセンブリ。
【請求項３】
前記少なくとも一つの第２のプライが一般に褶曲状である請求項１もしくは請求項２に記載のベントアセンブリ。
【請求項４】
少なくとも一つの第２のプライが第１のプライの間を横切って延びる複数の交差壁であり、この少なくとも一つの第２のプライが第１のプライの間を、好ましくは、一般に直交状に延びている請求項１もしくは請求項２に記載のベントアセンブリ。
【請求項５】
バッフル部材が第１のセクション及び第２のセクションを有し、第２のセクションが第１のベンドによって第１のセクションから形成されるとともに第１のセクションから一般に横方向へ延び、バッフル部材の第２のセクションが、好ましくは、ベント部材から離れる方向へ延びている請求項１から４のいずれか一項に記載のベントアセンブリ。
【請求項６】
バッフル部材が第２のベンドによって第２のセクションから分離された第３のセクションをさらに有する請求項５に記載のベントアセンブリ。
【請求項７】
バッフル部材の第２のセクションの下側へ設置可能なカバー部材をさらに有し、このカバー部材が上側表面と、この上側表面から延びる上側及び下側の凹凸部分とを有する請求項５に記載のベントアセンブリ。
【請求項８】
屋根の換気を行うためのベントアセンブリであって、
長手軸を有する上部パネルと、
この上部パネルの下側表面へ取り付けられた一対のベント部材と、
屋根の内部への湿気の侵入を防止するために前記上部パネル又は前記ベント部材へ取り付けられた膜と、
前記一対のベント部材の各々の下側表面へ取り付けられた接着部材と、
を有し、上部パネルは波形材料から形成され、長手軸に対して一般に横方向へ延びる複数の通気路を形成しており、前記複数のベント部材の各々が前記波形材料から形成された複数のパネルを有し、接着部材は、一般にフレキシブルな基材と、前記基材の一方の表面に設けられた接着剤と、この接着剤を覆う剥離ライナとを有しているベントアセンブリ。
【請求項９】
前記接着部材の各々へ取り付けられたカバー部材をさらに有し、このカバー部材が、好ましくは、上側表面と、この上側表面から延びる上側及び下側の凹凸部分とを有し、上側表面が前記接着部材へ接着されている請求項８に記載のベントアセンブリ。
【請求項１０】
前記波形材料が一般に平面状の一対の第１のプライと、前記第１のプライの間に配置された少なくとも一つの第２のプライとを有し、前記少なくとも一つの第２のプライが、好ましくは、一般に褶曲状であるか、前記第１のプライに対して一般に横方向へ延びる複数の交差壁を有している請求項８もしくは請求項９に記載のベントアセンブリ。
【請求項１１】
棟を有する屋根の換気を行う方法であって、
屋根は瓦で覆われるとともに棟の近傍に形成されたスロットを有し、前記スロットは前記屋根の内部と外部とを流体連通させており、また、上記請求項のいずれかに記載のベントアセンブリが配置され、前記屋根から流出した空気が前記通気路の中を通過するようになっており、その方法が、
前記ベントアセンブリの前記通気路を介して前記屋根の内部から前記屋根の外部へ空気を流出させる段階を有する方法。
【請求項１２】
棟を跨ぐ一対のスロットが設けられており、前記屋根の内部から流出する空気が前記ベントアセンブリの通気路の中を流れる請求項１１に記載の方法。
【請求項１３】
前記ベントが前記スロット内に少なくとも部分的に配置され、あるいは、前記ベントが前記スロット上に配置されている請求項１１に記載の方法。
【請求項１４】
前記ベントが前記屋根の内部への水分、粒子又は昆虫の侵入を防止し、好ましくは、カバー部材、バッフル又は膜が前記侵入を防止している請求項１１から１３のいずれか一項に記載の方法。
【発明の詳細な説明】
【技術分野】
【０００１】
関連出願
この出願は、2004年11月30日に出願された米国仮出願第60/631,927号の利益を主張する。この仮出願は、その全体がここにおいて文献援用される。
【０００２】
発明の分野
本発明は屋根のベントに関する。さらに詳しくは、この発明は瓦屋根用のリッジベントに関する。
【０００３】
発明の背景
適切に換気が行われている屋根においては、屋根の内部から外部への一定の空気流が屋根の内部での湿気の凝縮を防止している。これに対して、屋根の換気が不十分な場合には、湿気を含んだ淀んだ空気と冷たい表面との間の持続的な境界、たとえば、屋根構造内部のデッキングと大気との間の境界において凝結を生じる可能性がある。凝結した水分はしばしばしみになり、天井に損傷を与える。さらに深刻な場合には、梁や間柱などの構造部材が常に湿った状態になり、その結果、腐ってしまう。さらに、適切に換気が行われている屋根においては、屋根内部からの熱せられた空気が屋根外部のより冷たい空気と置き換えられる。従って、屋根の換気が不十分な建物は、太陽で熱せられた空気がその内部にこもるために、夏の間は暑くなりやすい。これらの建物は、屋根を適切に換気された場合よりも、快適な温度に維持するのに費用がかかる。
【発明の開示】
【０００４】
発明の概要
ベントシステムが提供されるとともに、瓦屋根における換気を可能にするためのこのベントシステムを製造及び使用する方法が提供されている。
【０００５】
一実施形態においては、この発明のベントアセンブリは、ベント部材と、そのベント部材へ取り付け可能なバッフルとを有している。ベント部材は別々の空気通路すなわち通気路を形成する波形材料の複数のプライを有している。空気通路は、選択的ではあるが、ベント部材の長手軸をほぼ横切って延びている。バッフルは第１のセクションと、第２のセクションとを有しており、第２のセクションは第１のセクションに対して一般に横切って延びている。バッフルはベント部材へ取り付けられる。使用時には、ベントアセンブリの少なくとも一部が瓦屋根の棟の近傍のスロットの中へ挿入され、所定の位置に固定される。上側表面から延びる上側及び下側の凹凸部分を有するカバー部材を使用することができる。カバー部材は、瓦が上側の凹凸部分に収容されるように、また、カバー部材の上側表面がバッフル部材の第２のセクションよりも下に位置するように配置される。カバー部材の代わりに、又はそれに加えて、本発明のベントによって占有されていないスロットの部分をシールするように、固形化層を形成することができる。
【０００６】
別の実施形態においては、この発明のベントアセンブリは、ベントと、膜と、接着部材とを有している。ベントは上部パネルと、少なくとも一つのベント部材とを有している。上部パネル及び少なくとも一つのベント部材は上述した波形材料から形成されている。膜はベントへ取り付けられ、水、粒子又は昆虫がベントを通って屋根内部へ侵入しないようになっている。接着部材はベントの下側表面に取り付けられており、ベントを上述したカバー部材へ取り付けできるようになっている。
【０００７】
このベントアセンブリの特徴は別々の通気路を形成していることである。前記特徴の利点は、別々の通気路が瓦屋根の内部と外部との間における換気を効率よく促進することである。
このベントアセンブリの一実施形態の特徴は、通気路を形成する波形材料の複数のプライを有していることである。前記特徴の利点は、プライを積み重ねて配置することによって、ベントアセンブリが効率よく形成されることである。
【０００８】
このベントアセンブリの一実施形態の特徴は、ベント部材へ取り付けられたバッフルを有していることである。前記特徴の利点は、バッフルが屋根内部への水、粒子又は昆虫の侵入の防止を助けていることである。
この発明の一実施形態の特徴は、ベントに取り付けられた通気性膜を有していることである。前記特徴の利点は、膜が、液体水分、粒子及び／又は昆虫のベントを通じた屋根内部への侵入を防止することである。
【０００９】
この発明の一実施形態の特徴は、ベントへ取り付け可能な接着部材を有していることである。前記特徴の利点は、液体水分、粒子及び／又は昆虫のベントを通じた屋根内部への侵入を防止するために、他の装置が接着部材へ取り付け可能なことである。
この発明のこれら及びその他の特徴及び利点は、添付図面を考慮すれば、以下の説明から明らかとなろう。
上述した図面は単にこの発明を説明するためのものであり、発明を制限するものではないことがわかろう。
【００１０】
詳細な説明
添付の図面の部材に関連して示されているすべての寸法及び角度は、発明の範囲から逸脱したり発明の範囲を制限したりすることなく、この発明の実施形態における設計や意図された用途に応じて変更することができる。
【００１１】
典型的な瓦屋根が図４において一般的に５０で示されている。瓦屋根５０は（トラスが使用される場合には）垂木すなわちコード５４によって支えられたセンタービーム５２を有する。垂木５４には捨て張りすなわちデッキング５６が取り付けられている。さらに、捨て張り５６の上側表面には、クロス部材５８が取り付けられている。そして、Ｓ瓦６０がクロス部材５８によって支えられた状態で設置されている。屋根５０の棟すなわち頂部では、キャップ瓦６２がＳ瓦の最終列を覆うように配置されている。すべての屋根と同様に、耐久性と機能性のためには、瓦屋根の適切な換気が必要である。しかし、屋根５０が適切に換気されていないと、多くの悪影響が生じる。
【００１２】
本発明が屋根５０に対して好適に設置されると、捨て張り５６とセンタービーム５２との間にスリット６４が形成される。図１〜図４を参照すると、このベントアセンブリの一実施形態は、一般的に１００で示されており、ベント部材１０４及びバッフル１０６を有している。ベント部材１０４は、次に、少なくとも一つのパネル、たとえば、パネル１１０、１１２、１１４、１１６を有している。パネル１１０〜１１６は合成樹脂で形成された波形材料から形成されている。このベント部材を形成するのに適した方法は、米国特許第5,947,817号、第6,450,882号及び第6,623,354号に開示されている。これらは、それぞれ、ここにおいて文献援用される。一つの方法は、波形材料のシートの交互に並んだ一般に平面状のプライ（以下で説明される）に刻み目を付け、その刻み目に沿って折り畳んで、連結された別々のパネルを形成するというものである。図示されている実施形態においては、一般に平面状のプライ１２０と、平面状のプライ１２０の間に動作可能に配置された褶曲状のプライ１２２との協働によって、通気路１１８が形成されている。
【００１３】
このベントアセンブリには、空気を通す多孔性の膜を設けることができる。もし設けられる場合には、膜は、先に参照された米国特許第6,623,354号に記載されているものとほぼ同じように配置できる。図示されている実施形態においては、バッフル１０６は、単品又は一体化された第１、第２及び第３のセクション１２８、１３０及び１３２をそれぞれ有している。これらのセクションは第１及び第２のベンド１３４、１３６で分離されている。このベントアセンブリの構成は、接着剤、ねじ、リベット又は当該分野で周知の他のファスナによって、ベント１０４をバッフル１０６の第１のセクション１２８へ固定することによって完成される。
【００１４】
ベント部材１０４に適した一つの材料は、高密度ポリエチレン（例えば、１０００平方フィート(92.9m2)当たり１４０−１６０ポンド(63.6-72.6 kg)）などの合成樹脂から形成されたラミネートボードである。一実施形態においては、ベント部材１０４はコポリアミドなどの接着剤によってバッフル１０６へ固定されている。バッフル１０６は、必要な剛性や弾性を有する金属又は合成樹脂などの材料から形成される。
【００１５】
このベントは、屋根に形成されたスロット６４の中に設置された後、釘やねじなどのファスナによってヘッドボード５２へ固定される。しかし、当該分野において周知の接着剤も同様に使用することができる。ここに図示及び記載されているように設置されたとき、第２及び第３のセクション１３０、１３２は一般にヘッドボード５２から外側へ延びる。キャップ瓦６２が、その後、Ｓ瓦の最後の列の上に直接設置される。あるいは、図４に示されているように、カバー部材１４０をＳ瓦の上に配置することもできる。カバー部材の一つの好ましい実施形態は米国特許第6,598,353号に記載されている。これは、ここで文献援用される。図５及び図６に示されている一実施形態においては、カバー部材１４０は一般に直線的な上側表面１４６から延びる交互に並んだ上側及び下側の凹凸部分１４２、１４４を有している。図４に示されているように配置されたとき、カバー部材１４０の上側表面１４６はバッフル１０６の第２及び第３のセクション１３０、１３２の下側に挿入され、上側の凹凸部分が瓦の上に配置され、これを覆う。キャップ瓦６２が、その後、カバー部材１４０の上に設置される。図４に示されているように配置されたとき、カバー部材１４０とバッフル１０６とが協働して、ベント部材１０４によって占有されていないスリット６４の部分をシールし、それによって、水分、粒子及び昆虫の侵入を防止する。
【００１６】
図３に示されているように、このベントによって占有されていないスリット６４の部分をシールする別の方法は、モルタル、グラウト、コーキングなどのシーラントを中に注ぎ込んで、シーラントをスリット６４の非占有部分内で固化させることである。固まったモルタル層は、本発明の屋根の内部への水分、粒子及び昆虫の侵入を効果的に防止する。
【００１７】
図のように設置されたとき、ベントアセンブリ１００は、本発明の屋根の内部からその外部へ空気を流出させることによって、空気の循環を可能にし、空気は矢印１４８で示されているように通気路１１８を通って流れる。
【００１８】
図７〜図１１を参照すると、この発明のベントアセンブリの別の実施形態が一般に１５０で示されている。ベントアセンブリ１５０はベント１５２、選択的に設けられる膜１５４及び接着部材１５６を有する。ベント１５２は、また、上部パネル１６０と、少なくとも一つ、例えば、二つのベント部材１６２を有する。各ベント部材１６２は複数のベントパネル１６４を有している。図１１ａを参照すると、空気の流れをさらに容易にするために、上部パネル１６０には、内部表面１７０の近傍において、経路１６８が形成されている。これは、米国特許第6,623,354号に開示されているような方法で形成されている。この経路１６８は、必要に応じて、上部パネル１６０に対して一般に同軸に形成される。経路１６８は、底部プライ２０４の一般に直線的な部分及びその下に位置する中間プライ２０６の少なくとも一部を取り除くことによって形成されており、その結果、経路１６８は底部プライを通って中間プライの中まで延び、それによって、追加の空気流路１１８の内側開口部２０８を形成している。
【００１９】
膜１５４は、米国特許第6,623,354号に開示されているようなフィルタ用の布、例えば、ポリプロピレンから構成されている。しかし、他の実施形態に適した材料には、選択的にシート状に形成される適度に薄くて通気性のある耐水性の物質が含まれる。織布及び不織布は、布ではない通気性で耐水性の膜と同様に使用することが可能である。一実施形態においては、本発明のフィルタ用の布では、フィルタがなければその中を流れるであろう空気の少なくとも約７５％をフィルタを通して流すことが可能である。このように、このフィルタ用の材料又は膜には、ランダムに配置された合成ポリマ繊維のスパンボンド式不織材料が含まれる。本発明の通気性及び耐水性の織布又は不織布のシート、又は他の膜はベントの底側へ付けることができる。フィルタ用の布は、ベントのピーク近傍において、また、積み重ねられた波形ベント材料の底面上において、波形材料へ結合されている。あるいは、このフィルタ用の布はベントのピーク近傍において、また、積み重ねられた波形ベント材料の内側又は外側において結合され、ベント部材自身の中を流れる空気流をろ過するようになっている。リッジベントを屋根の棟へ適用されたときには、フィルタ用の布はテントのような構造を形成し、それによって、溜まった雨水がリッジベントの積み重ねられたサイドベント部分の最も底の層を通じて排出される。
【００２０】
図１１を参照すると、ベントパネルを有するこのベント、又は上部パネル及びベントパネルを有するベントは、スリープライの耐候性材料２００から形成されている。この材料は、一般に平面状の第１及び第２のプライ２０２、２０４と、褶曲状の（溝付の）中間プライ２０６とを有している。平面状のプライと中間プライは一体に接合されて、それらの間に空気通路１１８を形成している。また、図１２に示されるように、別のスリープライの材料２１０は複数の交差壁又は交差プライ２１２を有している。これら交差壁又は交差プライは一般に平面上のプライ２０２、２０４の間を一般に横切って延び、交差プライ２１２と平面状のプライ２０２、２０４とによって囲まれた空気通路１１８を形成している。また、図１３は、一般に平面状の一つのプライ２０２と一つの褶曲状のプライ２０６とを有するツープライの材料２２０がどのように使用されるかを示している。褶曲状のプライの褶曲部と平面状のプライと間には空気通路１１８が形成されている。ツープライ材料の二つ又はそれより多くの層が使用されたときは、接触する褶曲状のプライの間にさらに多くの空気気路１１８’が形成される。
【００２１】
一実施形態においては、上部パネル１６０及びベントパネル１６４は、パネル１１０〜１６０及び通気路１１８に関して上述したのとほぼ同様な方法で形成される。上部パネル１６０及びベントパネル１６４は、スリットスコアリング、ニックスコアリング及び切断と呼ばれる方法によって形成される。スリットスコアリングが用いられる場合、スコアリングは対向する二つの向きで行われる（図１４）。第１の向き２５０では、スリット又は刻み目は上側の平面状プライ及びその下側にある中間プライを通って延ばされている。第２の向き２５２では、スリット又は刻み目は下側の平面状プライ及びその上側にある中間プライを通って延ばされている。上部パネル及びベントパネルの形成においては、上部パネルとベントパネルとが明確に区別されるように、スリットの向きは横方向に互い違いにされている。これらのパネルはＺ字形に折り畳むことによって、積み重ねた形のベントとして組み立てることができる。例えば、第１の向き２５０のスリットは上部パネル１６０の横方向の各エッジに設けられ、第２の向き２５２のスリットは第１の向きのスリットに対して横向きに設けられ、それによって、第１の対のベントパネル１６４を形成している。所望のすべてのベントパネルが形成されるまで、スリットの方向の交互変更が続けられる。第１の対のベントパネル１６４は上部パネル１６０の下側に折り畳まれ、第２の対のベントパネル１６４’の上側に折り畳まれる。
【００２２】
別の形として、図１５は、上部パネル及びベントパネルを形成するための目打ち孔２６２のライン２６０を有するニックスコアリングを示している。目打ち孔は両方の平面状プライ及び中間プライを通って延びている。目打ち孔ライン２６０はこれらの目打ち孔２６２が一連につながったものである。目打ち孔の間には未処理領域２６４が設けられている。このようにして、目打ち孔ラインは上部パネル及びベントパネルを限定し、空気通路１１８に対して外部開口部を露出させている。スリットスコアリング又はニックスコアリングのいずれかを用いてベントが形成されるときには、隣接して接触している上部パネル及びベントパネルの中へファスナを延ばして所望の組み立て構造にパネルを固定することによって組み立てが完成される。
【００２３】
図１６を参照すると、本発明のベントは、上部パネル１６０及びベントパネル１６４を切断し、それらを接触させて積み重ねた構造に組み立てることによって形成されている。必要に応じて、ステープル１６５のようなコネクタが上部パネル及びベントパネル１６４のセットの中へと延ばされている。
【００２４】
接着部材１５６は各ベント部材１６２の最も下側のベントパネル１６４の下側表面１７４へ接着される。別の場合には、接着部材１５６は、設置の直前に、ベントパネル１６４の下側表面１７４へ接着される。接着部材１５６としては、片側に接着剤を有する接着テープ１７８がある。接着剤は、また、例えば二つの、剥離ライナのストリップ１８０で覆われていてもよい。各ストリップ１８０は接着剤の約半分を長手方向に覆っている。接着部材１５６がベントパネル１６４へ取り付けられる場合には、ライナストリップ１８０の一方が取り外され、必要に応じて、接着部材が取り付けられ、接着ライナの端部１７６が上部パネル１６０及びベント部材１６２の端部と揃えられる。屋根のところでは、他方のライナストリップが取り外され、接着部材がカバー部材１４０の上側表面１４６へ取り付けられる。その後、ベントアセンブリ１５０が設置される。その際、ベント部材１６２が一般にセンタービーム５２に跨るように配置され、また、カバー部材が上述したようにＳ瓦６０の上にかぶさるように配置される。ベントアセンブリ１５０を設置された後、キャップ瓦６２が本発明のベントアセンブリの上に載るように設置される。屋根５２の内部とその外部との間の換気はベントパネル１６４及び上部パネル１６０に形成された通気路を介して可能である。膜１５４が設けられているために、水分、粒子及び昆虫の侵入が防止され、さらには、換気が妨げられることはほとんどない。
【００２５】
発明の精神から逸脱することなく、この発明の多くの修正が可能であるため、発明の範囲は図示及び記載された実施形態に限定されない。発明の範囲は添付の特許請求の範囲及びそれらの均等範囲によって決定される。
【図面の簡単な説明】
【００２６】
【図１】この発明によるベントアセンブリの一実施形態の斜視図である。
【図２】図１のベントアセンブリのバッフルの端面図である。
【図３】本発明のベントアセンブリが設置された瓦屋根の棟の一方の側の断面図である。
【図４】この発明の二つのベントアセンブリが別の方法で設置された瓦屋根の棟部分の断面図である。
【図５】本発明のベントアセンブリにおいて必要に応じて用いられるカバー部材の斜視図である。
【図６】図５のカバー部材の側面図である。
【図７】この発明のベントアセンブリの第２の実施形態の斜視図である。
【図８】図７のベントアセンブリの底面図である。
【図９】図５のカバー部材へ取り付けられた図７のベントアセンブリの断面図である。
【図１０】瓦屋根の部分断面図であり、このベントアセンブリの第２の実施形態の一部を示す図である。
【図１０ａ】本発明のベントの上部パネルの中に形成された経路の部分斜視図である。
【図１１】本発明のベントに適した耐候性のスリープライ材料の一実施形態の断面図である。
【図１２】本発明のベントに適した耐候性のスリープライ材料の別の実施形態の断面図である。
【図１３】本発明のベントに適した耐候性のツープライ材料の断面図である。
【図１４】スリットスコアリングによって形成された後に組み立てられている状態の本発明のベントを示す側面図である。
【図１５】ニックスコアリングによって形成された後に組み立てられている状態の本発明のベントを示す斜視図である。
【図１６】組み立てられている状態の切断されたベント部材を示す側面図である。
【図１】
2008522059.tif 000003
【図２】
2008522059.tif 000004
【図３】
2008522059.tif 000005
【図４】
2008522059.tif 000006
2008522059.tif 000007
2008522059.tif 000008
2008522059.tif 000009
2008522059.tif 000010
【図９】
2008522059.tif 000011
【図１０】
2008522059.tif 000012
【図１０ａ】
2008522059.tif 000013
【図１１】
2008522059.tif 000014
【図１２】
2008522059.tif 000015
【図１３】
2008522059.tif 000016
【図１４】
2008522059.tif 000017
【図１５】
2008522059.tif 000018
【図１６】
2008522059.tif 000019
【国際調査報告】
2008522059.tif 000020